(57)【特許請求の範囲】
【請求項１】
情報を記録または再生する情報記録領域に配置された凹部と、情報を記録または再生するための光プローブを搭載したスライダーが前記情報記録領域へ衝突するのを避けるための凸部とを有する光記録媒体であって、
前記凸部と凹部とからなる案内溝が同心円状あるいはスパイラル状に設けられ、
前記案内溝に沿った方向に光プローブの位置決め領域と前記情報記録領域とが分けて設けられ、
前記案内溝に沿って光スポットのトラッキングが行われ、前記位置決め領域によって光プローブの位置決めが行われることを特徴とする光記録媒体。
【請求項２】
前記情報記録領域と前記凸部との段差は、エバネッセント光が到達する距離以下であることを特徴とする請求項１記載の光記録媒体。
【請求項３】
前記凸部は、光ビームを案内するための案内手段を形成していることを特徴とする請求項１記載の光記録媒体。
【請求項４】
前記情報記録領域に複数の情報記録トラックを有することを特徴とする請求項１記載の光記録媒体。
【請求項５】
請求項１乃至４の何れかに記載の光記録媒体を用いて、情報の記録または再生を行う光記憶装置であって、前記スライダーは、前記光記録媒体上に浮上あるいは摺動させることを特徴とする光記憶装置。
【請求項６】
前記光記録媒体に光ビームを照射する照射手段と、前記光ビームが照射された光スポット内において前記プローブを移動させる移動手段と、異なる位置で検出された第１光量信号と第２光量信号とを入力する演算手段と、該演算手段の出力信号が所定値に近づくように、前記光スポット内の所定位置へ前記移動手段により前記プローブを移動させる制御手段と、を有することを特徴とする請求項５記載の光記憶装置。
【請求項７】
前記凸部に沿って光ビームをトラッキングする光ビームトラッキング手段を有することを特徴とする請求項６記載の光記憶装置。
【発明の詳細な説明】
【０００１】
【発明の属する技術分野】
本発明は、先端径が小さい光量検出用の光ブローブによりエバネッセント光を検出するいわゆる走査型近接場光学顕微鏡（ＳＮＯＭ：Ｓｃａｎｎｉｎｇ  Ｎｅａｒｆｉｅｌｄ  Ｏｐｔｉｃａｌ  Ｍｉｃｒｏｓｃｏｐｅ）の原理を使用し、記録媒体に情報を記録あるいは再生する光記録媒体および光記憶装置に関する。
【０００２】
【従来の技術】
近年、光の回折限界を越える分解能を持つ走査型近接場光学顕微鏡（ＳＮＯＭ：Ｓｃａｎｎｉｎｇ  Ｎｅａｒｆｉｅｌｄ  Ｏｐｔｉｃａｌ  Ｍｉｃｒｏｓｃｏｐｅ）の研究が活発に行われている。
【０００３】
一般に、物体に光を照射すると、遠くまで伝搬する光と、光照射によって物質に誘起された分極同士の相互作用によってその近傍にのみ作られる電磁場、すなわち伝搬しない光とが発生する。この伝搬しない後者の光は、エバネッセント光と呼ばれる。このエバネッセント光を波長よりも短い先端径をもつ光プローブの先端に発生させ、分解能を飛躍的に向上させた走査型顕微鏡が、いわゆるＳＮＯＭである。この分解能は光プローブの先端径で決まるため、先端を尖らせるはど分解能は向上する。
【０００４】
特開平８−２８７５３１号公報には、このＳＮＯＭを高密度記録装置に応用した例が開示されている。まず光プローブをスライダーに装着し、このスライダーを記録媒体上に浮上させ、光ブローブから発生したエバネッセント光を記録媒体に照射し、情報を記録再生する装置である。ここで、光プローブ近傍１００ｎｍ前後の範囲にエバネッセント光が発生するため、高密度の記録マークが記録され、この記録マークを光プローブから発生するエバネッセント光によって検出する。光プローブの先端径を短くすることにより、光の回折限界を超えた微少記録マークの検出が可能であり、従来の光ディスクに比べて飛躍的に記録密度を向上させることができるものである。また、記録媒体にトラッキング用のマークが予め記録され、このマークを光プローブによって検出することにより、トラッキングするものである。
【０００５】
【発明が解決しようとする課題】
ところが、上記スライダーは、ゴミ等の原因により記録媒体に接触し、媒体面を傷つけるという問題点があった。エバネッセント光はプローブ先端から１００ｎｍ程度の距離にしか到達しないため、情報記録層は記録媒体表面に設けられるが、この表面を傷つけると情報が完全に破壊されてしまう。しかも、記録情報は記録媒体の表面のうち、エバネッセント光が到達できる１００ｎｍの深さに記録されるため、わずかな傷で情報が完全に破壊されてしまう。
【０００６】
また、光プローブから検出した信号は微弱であるため、この信号によって正確なトラッキングを行うことは困難であった。
【０００７】
本発明はこの問題に鑑み、情報の破壊を防止し、信頼性のある光記録媒体および光記憶装置を提供することにある。
【０００８】
【課題を解決するための手段】
請求項１記載の光記録媒体は、情報を記録または再生する情報記録領域に配置された凹部と、情報を記録または再生するための光プローブを搭載したスライダーが前記情報記録領域へ衝突するのを避けるための凸部とを有する光記録媒体であって、前記凸部と凹部とからなる案内溝が同心円状あるいはスパイラル状に設けられ、前記案内溝に沿った方向に光プローブの位置決め領域と前記情報記録領域とが分けて設けられ、前記案内溝に沿って光スポットのトラッキングが行われ、前記位置決め領域によって光プローブの位置決めが行われることを特徴とする。
【０００９】
請求項２記載の光記録媒体は、請求項１記載の光記録媒体において、前記領域と前記凸部との段差は、エバネッセント光が到達する距離以下であることを特徴とする。
【００１０】
請求項３記載の光記録媒体は、請求項１記載の光記録媒体において、前記凸部は、光ビームを案内するための案内手段を形成していることを特徴とする。
【００１１】
請求項４記載の光記録媒体は、請求項１記載の光記録媒体において、前記領域に複数の情報記録トラックを有することを特徴とする。
【００１２】
請求項５記載の光記憶装置は、請求項１乃至４の何れかに記載の光記録媒体を用いて、情報の記録または再生を行う光記憶装置であって、前記スライダーは、前記光記録媒体上に浮上あるいは摺動させることを特徴とする。
【００１３】
請求項６記載の光記憶装置は、請求項５記載の光記憶装置において、前記光記録媒体に光ビームを照射する照射手段と、前記光ビームが照射された光スポット内において前記ブローブを移動させる移動手段と、異なる位置で検出された第１光量信号と第２光量信号とを入力する演算手段と、該演算手段の出力信号が所定値に近づくように、前記光スポット内の所定位置へ前記移動手段により前記プローブを移動させる制御手段と、を有することを特徴とする。
【００１４】
請求項７記載の光記憶装置は、請求項６記載の光記憶装置において、前記凸部に沿って光ビームをトラッキングする光ビームトラッキング手段を有することを特徴とする。
【００１５】
【発明の実施の形態】
（実施例１）
本発明の実施例１について図１〜図８を用いて説明する。光源１から出射された光ビームｂｌは対物レンズ２にて集光され、プリズム４を通して記録媒体であるディスク５の表面５ａで反射される。このプリズム４は入射面４ａと出射面４ｂ、透過面４ｃを持つ台形状のプリズム（以後、この台形状プリズムを台形プリズムと呼ぶ）であり、光ビームｂｌが台形プリズム４からディスク５へ透過する。なお、この台形プリズムは、台形状に限らず三角状であってもよい。この台形プリズム４の入射面４ａは光ビームｂｌの進行方向とはぼ直角な面であり、この面を介して光ビームｂｌを入射することにより、ディスク５の表面５ａにおいて光ビームｂｌを全反射させ、エバネッセント光を発生させる。また、台形プリズムの出射面４ｂも反射光ｂ２の進行方向とほぼ直角に設定されており、反射ビームｂ２が集光レンズ１０を介して４分割ディテクタ１１に入射される。また、台形プリズム４はディスク５の裏面５ｂ上に浮上する浮上スライダを兼ねており、ディスク５との間隔を数十ｎｍの距離で一定に保っている。
【００１６】
ディスク５の表面５ａには後述するように記録層５ｃが設けられており、この表面近傍に発生したエバネッセント光は光プローブ７ａによって検出される。この光プローブ７ａは後述するように、アクチュエータ８によってｘ軸方向とｙ軸方向に移動が可能であり、その移動量はｘ軸駆動信号ｉ１とｙ軸駆動信号ｉ２により制御される。アクチュエータ８はさらに浮上型のプローブスライダー９によってディスク５との間隔を数十ｎｍの距離で一定に保つ。光プローブ７ａで検出されたエバネッセント光は光ファイバー７ｂによってフォトディテクタ６に導かれ、光量信号ｄを出力する。この光量信号ｄに基づいて、後述するようにディスク５の表面５ａに集光されたレーザスポットの中心あるいは所定の位置に光プローブ７ａを位置決めする。なお、図１では、光プローブ７ａで情報の記録や再生を行う系は図示していない。
【００１７】
さて、４分割ディテクタ１１から出力される電気信号ａｌ，ａ２，ａ３，ａ４は加算器１２ａ，１２ｂに送られ、その出力信号ａａ，ａｂは、減算器１３ａに入力される。減算器１３ａから出力されるトラックエラー信号ｃは、対物レンズアクチュエータ３に送られて、対物レンズ２を駆動することにより光ビームｂｌのトラッキングを行う。
【００１８】
次に、フォトディテクタ６から出力された光量信号ｄは、第１サンプリング手段１５ａと第２サンプリング手段１５ｂに送られる。光プローブ７ａをｘ軸方向に位置決めする場合は、ＣＰＵ２２からｘ軸駆動手段２０ｂへ命令信号ｌ１が出力され、駆動信号ｉ１によって、まず光プローブ７ａを基準位置から一方の方向へ数十ｎｍ〜数百ｎｍの所定の距離だけ移動させる。このとき第１サンプリング手段１５ａにおいてサンプルタイミング信号ｋｌに基づいて光量信号ｄをサンプリングし、第１光量信号ｅｌを出力する。次に命令信号ｌ１によって、基準位置から反対の方向へ等距離の位置に光プローブ７ａを移動させ、第２サンプリング手段１５ｂにおいてサンプルタイミング信号ｋ２に基づいて光量信号ｄをサンプリングし、第２光量信号ｅ２を出力する。第１光量信号ｅｌと第２光量信号ｅ２は減算手段１６に送られ、その差信号ｆが差動増幅手段１８の一方の端子に入力され、他方の端子には目標位置設定手段１７からトラッキング目標値ｇが入力される。例えば、光ビームｂｌが照射されたスポットの中心に光プローブ７ａを位置決めするときはトラッキング目標値ｇをゼロにセットする。後述するが、これによって第１光量信号ｅｌと第２光量信号ｅ２の差がゼロに近づくように光プローブ７の制御が行われる。差動増幅器１８の出力信号ｈはスイッチ手段１９に入力され、スイッチ制御命令ｊにより、この信号ｈをｘ軸駆動手段２０ｂへ送る。ｘ軸駆動手段２０ｂでは、スイッチ手段１９の出力信号ｈに基づいて駆動信号ｉ１を光プロープ７へ送る。これにより第１光量信号ｅｌと第２光量信号ｅ２の差がゼロに近づくように、アクチュエータ８ヘフィードバックが行われ、光プローブ７ａを光ビームｂｌのスポットのｘ軸方向の中心に位置決めする。
【００１９】
さらに光プローブ７ａを以下のようにｙ軸方向の中心へ位置決めする。差動増幅器１８の出力信号ｈをｙ軸駆動手段２０ａへ送るように、ＣＰＵ２２からスイッチ手段１９ヘスイッチ制御命令ｊを送る。その他の動作は、ｘ軸方向の位置決めと同様であり、これによってｙ軸方向にも位置決めを行うことができる。
【００２０】
図２は光ビームｂｌがディスク５の表面５ａに集光されたときの光スポットｍと光プローブ７ａの関係を示す図である。この図では、トラックに沿った方向をｙ軸方向とし、トラッキング方向をｘ軸方向とし、光プローブ７ａをｘ軸方向にトラッキングする例を示す。ディスク５は、光学的に透明な基板５ｄと記録層５ｃから成り、複数の情報トラックｔｌ〜ｔ７はディスク５の凹部５ｈに配置され、凸部５ｆによって保護される。プローブスライダー９には、アクチュエータ８が搭載され、光プローブ７ａはこのアクチュエータ８によって、ｘ方向とｙ方向に移動制御される。プローブスライダー９とディスク５の隙間が約数十ｎｍとなるように浮上されているが、この隙間にゴミなどが入り、衝突が発生する。このとき、凸部５ｆによってプローブスライダー９の底面が情報トラックｔｌ〜ｔ７の領域に接触することが防止される。したがって、情報トラックｔｌ〜ｔ７は衝突によるデータ破壊が防止される。凹部５ｈと凸部５ｆの段差はエバネッセント光が到達する距離以下であり、約数十ｎｍとなるように基板５ｄは成形加工されている。これにより、エバネッセント光を使用して凹部５ｈに情報の記録や再生を行うことができる。また、凸部５ｆの幅は凹部５ｈの幅に比べて十分短くすることにより、凸部５ｆによるプローブスライダー９の浮上量への影響を少なくして、光プローブ７ａと凹部５ｈの情報トラックとの間隔を一定に保ちながら浮上させることができる。また、凸部５ｆの一部が衝突により破損しても、同様に凹部５ｈに対する面積割合が小さいため浮上量への影響を少なくすることができる。なお、プローブスライダー９はディスク５上に浮上している例をしめしたが、これに限らず摺動している場合でもゴミ等によって摺動特性が悪化するが、この場合も凸部５ｆによって記録情報の破壊を防止することができる。
【００２１】
また、凹部５ｈは光スポットｍをトラッキングするためのトラッキング用の案内溝と兼用する事ができ、このためには凸部５ｆの間隔を光スポットｍの直径の約半分となるように設定する。これにより光スポットｍはトラッキング用の案内溝の中心を通るようにトラッキングされる。なお、本実施例の場合、案内溝として凹凸形状を示したが、これに限らず、表面の情報トラックの位置に対応して光学的に検知できる形状であればよい。
【００２２】
また、光スポットｍ内の所定の位置に光プローブ７ａを位置決めすることにより、実質上光プローブ７ａが凹部５ｈの情報トラックｔｌ〜ｔ７の任意のトラックにトラッキングされる。例えば、図１における目標位置設定手段１７からトラッキング目標値ｇをゼロにセットすると、図３において光スポットｍの中心位置のトラックｔ４に光プローブ７ａが位置決めされる。また、図１における目標位置設定手段１７から出力されるトラッキング目標値ｇを順次ステップ状に切り替えることにより、図３におけるトラックｔｌからｔ７のそれぞれのトラックに光プローブ７ａを位置決めする。これにより、光スポットｍよりも小さいトラックピッチに光プローブ７ａをトラッキングし、高密度の情報の記録や再生を行うことができる。また、このトラッキングでは、図２において光プローブ７ａは凹部５ｈの上部に常に配置されるため、プローブスライダー９が凸部５ｆに衝突しても、光プローブ７ａの衝突をさけることができ、先端の破損も防止することができる。
【００２３】
また、図４に示すように、凸部５ｆと凹部５ｈからなる案内溝はディスク５の同心円状あるいはスパイラル状に設けられ、これに沿った方向に光プローブの位置決め領域５ｇと情報記録領域５ｉに分けられている。情報記録領域５ｉは図２に示した物理的な形状を持つが、位置決め領域５ｇでは凹部５ｈはなく、全て凸部５ｆと同一の高さを持つ平面とする。これにより。反射光量の変化によって情報記録領域５ｉと位置決め領域５ｇを判別できる。まず、この案内溝に沿って光スポットｍのトラッキングが行われる。光プローブ７ａが一方の情報記録領域５ｉに差し掛かると情報の記録や再生が行われる。他方の位置決め領域５ｇに差し掛かると、後述するように光スポットｍ内の任意の位置に光プローブ７ａを位置決めする。再び情報記録領域５ｉに光プローブ７ａが差し掛かると、情報の記録や再生動作に戻る。以後はこれを繰り返してディスク５の全域に光スポットｍをトラッキングすると同時に、これに追従して光プローブ７ａを任意のトラックにトラッキングすることができる。また、ディスク５の全域にわたって、凸部５ｆを設けられるため、記録情報を保護しながら情報の記録や再生を行うことができる。
【００２４】
図５（ａ）において、光プローブ７ａは基準位置（実線）に対して、トラツクと直角な方向に左右に等距離の位置（破線）に移動される。基準位置がスポット中心位置からずれていると、光スポットの光量分布において、上記の基準位置（黒丸）から等距離の位置でサンプリングされた光量信号ｅｌと光量信号ｅ２（白丸）は異なる値となる。光プローブ７ａの基準位置を光スポットｍの中心の記録トラックｔ４に位置決めする場合は、光量信号ｅｌと光量信号ｅ２との差がゼロに近づくように位置制御が行われる。すると、図５（ｂ）に示すように、やがて光量信号ｅｌと光量信号ｅ２が等しくなり、基準位置は光スポットｍの光量分布の最大値であるスポット中心に近づく。これによって、記録トラックｔ４に光プローブ７を位置決めする事ができる。
【００２５】
なお、図３に示したその他のトラックｔｌ〜ｔ３およびｔ５〜ｔ７に光プローブを位置決めする場合は、図５（ａ）において、光量信号ｅｌと光量信号ｅ２の差を所定の値にセットすることにより、基準位置を光スポットｍ内の任意のトラックに位置決めすることができる。
【００２６】
さて、図５（ｂ）において光量信号ｅ１と光量信号ｅ２が等しくなる場合を示したが、これ以外に光量信号ｅｌ１光量信号ｅ２の双方がほぼゼロとなり、実質上等しくなる場合がある。これは、基準位置が光スポットｍの外にある場合である。このときは、光プローブが移動しても光量信号に変化が現れず、位置決めの制御は困難となる。
【００２７】
また、サンプリングされた光量信号ｅｌとｅ２との差が所定の値となるように制御する場合には、一方が光スポットの外に出てゼロとなり、他方がこの差に等しい値となることがある。つまり、制御が誤って行われ、所望の位置に光プロープを位置決めできない場合がある。
【００２８】
図６に示す装置は、これを回避するための装置の要部である。フォトディテクタ６から出力された光量信号ｄは、比較器２４の一方の端子に入力され、電圧ｖｌと比較される。比較器２４の出力信号ｎはＣＰＵ２２に送られ、光量信号ｄが電圧ｖｌ以下である場合は実質上電圧値がゼロであると判定する。もし、光量信号ｄをサンプリンクした光量信号ｅ１と光量信号ｅ２のどちらか一方の電圧値がゼロとなったことを検出したときは、どちらが検出されたかに基づいて光プローブ７のずれ方向を判断し、基準位置を光スポットｍの中心方向へ戻してリセットを行う。これにより、光量信号のサンプリング位置が光スポットｍの外へ出ることによる誤った位置制御を防止する。
【００２９】
また、図５（ａ），（ｂ）において光スポットｍの光量分布を高いＳ／Ｎ比でサンプリングするためには、光スポットｍのフォーカス制御を行って光量分布の形状を急峻にする必要がある。もし、光スポットｍが十分に絞れていない場合は、光量分布の形状がなだらかになり、その裾野が広がってしまうため、サンプリングされた光量信号ｅｌと光量信号ｅ２のＳ／Ｎ比が低下し、光プローブ７ａの正確な位置決めが困難となる。
【００３０】
図７に示す装置は、これを防止するための装置の要部を示す。４分割ディテクタ１１からの出力信号ａｌとａ３は加算器２５ａに入力され、出力信号ａ２とａ４は加算器２５ｂに入力される。それぞれの加算器の出力信号ｎａとｎｂは減算器２６に入力され、いわゆる非点収差法におけるフォーカスエラー信号ｏを出力する。この信号ｏは対物レンズアクチュエータ３に送られて、フォーカス制御を行うと共に、ウィンドウコンパレータ２７に入力される。ウィンドウコンパレータ２７では、フォーカスエラー信号ｏが所定の範囲内に入っているかどうかを検出することにより、フォーカス制御が正常であるかどうかの検出信号ｐをＣＰＵ２２に出力する。ＣＰＵ２２ではこれによってフォーカス制御を監視し、もしフォーカス制御が異常な場合は光プローブ７ａの位置決め制御をストップする。これにより、光量信号ｅｌと光量信号ｅ２のＳ／Ｎ比の低下による光プローブ７ａの位置決め制御の暴走を防止する。
【００３１】
図８は以上の位置制御動作を説明するフローチャートである。まず、光ビームｂｌのフォーカス制御を行い、正常であるかどうか確認する（Ｓ１）。なお、以下の位置決め制御の途中において、もしフォーカス制御が異常であれば、直ちに位置決めを中断する。次に、フォーカス制御が正常であれば光ビームのトラッキング制御を行う（Ｓ２）。図５（ａ）において光プローブ７ａを紙面上左へ移動する（Ｓ３）。光量信号ｅ１をサンプリングする（Ｓ４）。同様に図５（ａ）において光プローブ７ａを紙面上右へ移動する（Ｓ５）。光量信号ｅ２をサンプリングする（Ｓ６）。図６における比較器２４において光量信号ｅｌと光量信号ｅ２の少なくとも一方がゼロでないか判断する（Ｓ７）。ゼロでなければ光量信号ｅｌと光量信号ｅ２の差を光プローブ７のアクチュエータ８ヘフィードバックする（Ｓ８）。ゼロであれば、光プローブ７の基準位置をスポットの中心方向へ戻すためにステップ移動する（Ｓ９）。再び、Ｓ３へ戻って光プローブ７の位置決め制御を行う。
【００３２】
（実施例２）
本発明の実施例２について、図９および図１０を用いて説明する。図９において、ディスク３０は、光学的に透明な基板３０ｄと記録層３０ｃから成る。記録層３０ｃ側のディスク３０の表面に設けられた同一形状の凸部３０ｆ，３０ｇは、実施例１と同様に、プローブスライダー９が記録層３０ｃに衝突して、損傷を与えることを防ぐ。また、後述するように光スポットｍをトラッキングするためのサンプルビットとしても使用される。このために、これらの凸部３０ｆ，３０ｇは情報記録トラックｔｌ〜ｔ７を挟んで両側に配置され、トラッキング誤差信号を得るために、凸部３０ｆ，３０ｇは交互にずらして配置されている。つまり、これら凸部３０ｆ，３０ｇはディスク３０の反対面では、同一形状の凹部になり、これらを光ビームのトラッキング用の案内溝とすることができる。なお、本実施例の場合、案内溝として凹形状を示したが、これに限らず、表面の情報トラックの位置に対応して光学的に検知できる形状であればよい。
【００３３】
図１０は、光スポットｍのトラッキングと、光プローブ７ａの位置決め装置を説明する図である。４分割ディテクタ１１からの光量信号ａｌ〜ａ４は、加算器３１において加算され、トータル信号ｑが光スポットトラッキング用のサンプルホールド回路３２ａ，３２ｂと、光プローブ位置決め用の第１サンプリング手段１５ａと第２サンプリング手段１５ｂに送られる。サンプルホールド回路３２ａ，３２ｂは、図９に示した凸部３０ｆ，３０ｇに光スポットｍが差し掛かったときの光量信号ｑａとｑｂをそれぞれ検出して保持する。これら凸部によるトータル信号の減少量は比較的大きく、減算器３３においてこの２つの信号ｑａとｑｂを差し引き、光スポットｍのトラックエラー信号ｃを出力する。これを、対物レンズアクチュエータ３にフィードバックすることにより、図９における光スポットｍを凸部３０ｆと凸部３０ｇとの中間にトラッキングする事ができる。このトラッキング方法は、よく知られているサンプルサーボ方式と同じものである。
【００３４】
一方、凸部３０ｆ，３０ｇに光スポットｍが差し掛からない領域では、光プローブ７ａによってエバネッセント光が伝播光に変換されて、ディスク３０の表面から放射され、卜一クル信号ｑが減少する。情報の記録再生と、光プローブの位置決めはこの領域で行われる。光フローブの位置決め時は、図１０において光フローブ位置決め用の第１サンプリング手段１５ａと第２サンプリング手段１５ｂによって、実施例１と同様に光量信号ｅｌとｅ２を検出することにより、光プローブ７ａの位置決めを行う。その他は、図１の説明と同様である。
【００３５】
図１１はトータル信号ｑの変化を示した図である。図５（ａ），（ｂ）とは異なり、光スポットの中心に光プローブ７ａが近いほど、トータル信号ｑは減少する。これは、中心はど多量のエバネッセント光が伝搬光に変換され、ディスク３０の表面から放射されるためである。あとは同様にトータル信号ｑをサンプリングした光量信号ｅｌと光量信号ｅ２の差が所定の値に近づくように光プローブ７ａを制御することにより、光スポットｍ内の任意のトラックヘ位置決めを行うことができる。
【００３６】
【発明の効果】
請求項１記載の光記録媒体によれば、スライダーが情報を記録または再生する情報記録領域に衝突することによる情報の破壊を防止することができるとともに、案内溝に沿って光スポットのトラッキングを行うことができ、また位置決め領域によって光プローブの位置決めを確実に行うことができる。
【００３７】
請求項２記載の光記録媒体によれば、情報を記録または再生する領域へのスライダーの衝突を防止しながら、エバネッセント光を用いて情報の記録または再生を高密度で行うことができる。
【００３８】
請求項３記載の光記録媒体によれば、情報を記録または再生する領域へのスライダーの衝突を防止しながら、トラッキング時にエバネッセント光を発生させるための光ビームのスポットをトラッキングすることができる。
【００３９】
請求項４記載の光記録媒体によれば、情報を記録または再生する領域へのスライダーの衝突を防止しながら、高密度の記録再生ができる。
【００４０】
請求項５記載の光記憶装置によれば、スライダーが情報を記録または再生する領域に衝突することによる情報の破壊を防止することができる。
【００４１】
請求項６記載の光記憶装置によれば、光スポット内の任意の位置に位置決めすることができ、複数のトラックからなる高密度の記録または再生を実現することができる。
【００４２】
請求項７記載の光記憶装置によれば、光ビームをトラッキングしているため、プローブをこれに追従させて、記録または再生を安定して行うことができる。
【図面の簡単な説明】
【図１】本発明の実施例１に係る光記憶装置を示す図である。
【図２】本発明の実施例１に係る光記録媒体を示す図である。
【図３】図２における情報トラックを詳細に示す図である。
【図４】本発明に係る光記録媒体の全体を示す図である。
【図５】本発明の実施例１に係る光フローブの位置決め動作を説明する図である。
【図６】本発明に係る光プローブを光スポット内に制限する装置を示す図である。
【図７】本発明に係る光フローブの位置決め制御の暴走を防止する装置を示す図である。
【図８】本発明に係る光プローブの位置決め方法を流れ図である。
【図９】本発明の実施例２に係る光記録媒体を示す図である。
【図１０】本発明の実施例２に係る光記憶装置を示す図である。
【図１１】本発明の実施例２に係る光プローブの位置決め動作を説明する図である。
【符号の説明】
１  光源
２  対物レンズ
３  対物レンズアクチュエータ
４  台形プリズム
５  ディスク
５ｆ  凸部
５ｈ  凹部
６  フォトディテクタ
７ａ  光プローブ
７ｂ  光ファイバー
８  アクチュエータ
２２  ＣＰＵ
【図１】
0003986690.tif 000002
【図２】
0003986690.tif 000003
【図３】
0003986690.tif 000004
【図４】
0003986690.tif 000005
【図５】
0003986690.tif 000006
【図６】
0003986690.tif 000007
【図７】
0003986690.tif 000008
【図８】
0003986690.tif 000009
【図９】
0003986690.tif 000010
【図１０】
0003986690.tif 000011
【図１１】
0003986690.tif 000012